(57)【要約】【課題】排水性を高く確保することができる外壁材の受け具を提供する。【解決手段】家屋の壁下地に固定される縦片１と、縦片１の下端に屋外側へ突出して設けられ、外壁材３の下端を受ける横片２とから断面Ｌ字形に形成される外壁材の受け具Ａに関する。縦片１の上端に屋外側へ折り返して上折り返し片４を設け、横片２に水抜き孔５を穿設すると共に、横片２の先端に上面側へ折り返して下折り返し片６を設ける。外壁材３は上折り返し片４に当接して縦片１の表面に密着することがなくなり、外壁材３の背面に沿って流下した雨水や結露水を縦片１と外壁材３の隙間を効率良く通過させることができる。また外壁材３の下端面は下折り返し片６に当接して横片２の上面に密着することがなくなり、外壁材３で水抜き孔５を塞いでしまうことを防ぐことができる。【選択図】図１
2009270362.tif 000002
【特許請求の範囲】
【請求項１】
家屋の壁下地に固定される縦片と、縦片の下端に屋外側へ突出して設けられ、外壁材の下端を受ける横片とから断面Ｌ字形に形成される外壁材の受け具であって、縦片の上端に屋外側へ折り返して上折り返し片を設け、横片に水抜き孔を穿設すると共に、横片の先端に上面側へ折り返して下折り返し片を設けて成ることを特徴とする外壁材の受け具。
【請求項２】
上記の下折り返し片を、折り返し先端が水抜き孔の開口の上に位置するように形成して成ることを特徴とする請求項１に記載の外壁材の受け具。
【請求項３】
請求項１又は２に記載の受け具を用いた外壁構造であって、受け具を縦片によって壁下地の屋外側に取り付け、外壁材の下端部の背面を上折り返し片の上から縦片の屋外側に宛がうと共に、外壁材の下端面を下折り返し片の上から横片の上面側に配置して成ることを特徴とする外壁構造。
【発明の詳細な説明】
【技術分野】
【０００１】
本発明は、家屋の外壁において縦張り用の外壁材の下端部を受ける外壁材の受け具、及びこの受け具を用いた外壁構造に関するものである。
【背景技術】
【０００２】
壁下地の屋外側に複数枚の外壁材を張って取り付けることによって、家屋の外壁を形成することが行なわれている。そして外壁材として縦長のものを用いる場合は、この縦長の外壁材を左右に複数枚接続して壁下地に取り付けることによって、縦張り工法で外壁の施工が行なわれている。
【０００３】
このように外壁材を左右に接続して取り付ける縦張り工法で用いる外壁材は、左右の両側端面には凹凸接合用の実部が形成されているが、下端面にはこのような実部は形成されていなく平坦面に形成されている。このため、外壁材の下端の支持は、壁下地に取り付けた受け具に受けることによって行なうようにしている。そしてこの受け具には、外壁材の背面側に浸入した雨水や、外壁材の背面に生じた結露水などを排水するため、排水孔が形成してある（例えば特許文献１等参照）。
【０００４】
図５は縦張りされる外壁材３の下端部と受け具Ａの収まりの状態を示すものであり、受け具Ａは縦片１と横片２とから断面Ｌ字形に形成し、横片２に水抜き孔５が形成してある。そして縦片１を胴縁等の壁下地に釘打ち等することによって受け具Ａを取り付け、外壁材３の下端部は、その背面を受け具Ａの縦片１の屋外面に当接した状態で、横片２の上に載置することによって、受け具Ａで受けられるようになっている。
【０００５】
このものにあって、外壁材３の背面側に浸入した雨水や、外壁材３の背面に生じた結露水などは、外壁材３の背面に沿って流下した後、受け具Ａの縦片１と外壁材３の背面の間の隙間を通過して横片２の上面に至り、横片２の水抜き孔５から排出されるようになっている。
【０００６】
ここで、受け具Ａの強度を補強するために、縦片１の上端や受け片２の先端を折り返し加工することが行なわれているが、縦片１の上端については、背面側（屋内側）へ折り返して上折り返し片４を形成し、受け片２の先端については、下面側へ折り返して下折り返し片６を形成するようにしている。
【特許文献１】特開２００２−６１３７６号公報
【発明の開示】
【発明が解決しようとする課題】
【０００７】
上記のように受け具Ａの縦片１の上折り返し片４は背面側に形成してあるので、外壁材３の下端部の背面は縦片１の全面に密着することになり、外壁材３の背面に沿って流下した雨水や結露水は縦片１と外壁材３を通過し難くなって、排水性が悪くなるという問題があった。また横片２の下折り返し片６は下面側に形成してあるので、外壁材３の下端面は横片２の上面に密着することになり、横片２に設けた水抜き孔５が外壁材３の下端面で塞がれて、排水性が悪くなるという問題があった。
【０００８】
本発明は上記の点に鑑みてなされたものであり、排水性を高く確保することができる外壁材の受け具及び外壁構造を提供することを目的とするものである。
【課題を解決するための手段】
【０００９】
本発明の請求項１に係る外壁材の受け具は、家屋の壁下地に固定される縦片１と、縦片１の下端に屋外側へ突出して設けられ、外壁材３の下端を受ける横片２とから断面Ｌ字形に形成される外壁材の受け具Ａであって、縦片１の上端に屋外側へ折り返して上折り返し片４を設け、横片２に水抜き孔５を穿設すると共に、横片２の先端に上面側へ折り返して下折り返し片６を設けて成ることを特徴とするものである。
【００１０】
この発明によれば、上折り返し片４は縦片１の上端に屋外側へ折り返して設けてあるために、外壁材３は上折り返し片４に当接して縦片１の表面に密着することがなくなり、外壁材３の背面に沿って流下した雨水や結露水を縦片１と外壁材３の隙間を効率良く通過させて排水することができるものであり、また下折り返し片６は横片２の先端に上面側へ折り返して設けてあるので、外壁材３の下端面は下折り返し片６に当接して横片２の上面に密着することがなくなり、外壁材３で水抜き孔５を塞いでしまうことを防いで、効率良く排水することができるものである。
【００１１】
また本発明は、上記の下折り返し片６を、折り返し先端が水抜き孔５の開口の上に位置するように形成して成ることを特徴とするものである。
【００１２】
この発明によれば、外壁材３の荷重で下折り返し片６が押し潰されても、下折り返し片６の先端の部分で外壁材３の下端面と水抜き孔５との間に空間が形成されるようにすることができ、外壁材３で水抜き孔５が完全に塞がれることを防ぐことができるものである。
【００１３】
また本発明に係る外壁構造は、上記の受け具Ａを用いた外壁構造であって、受け具Ａを縦片１によって壁下地の屋外側に取り付け、外壁材３の下端部の背面を上折り返し片４の上から縦片１の屋外側に宛がうと共に、外壁材３の下端面を下折り返し片６の上から横片２の上面側に載置して成ることを特徴とするものである。
【００１４】
本発明によれば、受け具Ａで外壁材３の下端部を受けるにあたって、上折り返し片４は縦片１の上端に屋外側へ折り返して設けてあるために、外壁材３は上折り返し片４に当接して縦片１の表面に密着することがなくなり、外壁材３の背面に沿って流下した雨水や結露水を縦片１と外壁材３の隙間を効率良く通過させて排水することができるものであり、また下折り返し片６は横片２の先端に上面側へ折り返して設けてあるので、外壁材３の下端面は下折り返し片６に当接して横片２の上面に密着することがなくなり、外壁材３で水抜き孔５を塞いでしまうことを防いで、効率良く排水することができるものである。
【発明の効果】
【００１５】
本発明によれば、受け具Ａで外壁材３の下端部を受けるにあたって、上折り返し片４は縦片１の上端に屋外側へ折り返して設けてあるために、外壁材３は上折り返し片４に当接して縦片１の表面に密着することがなくなり、外壁材３の背面に沿って流下した雨水や結露水を縦片１と外壁材３の隙間を効率良く通過させて排水することができるものである。また下折り返し片６は横片２の先端に上面側へ折り返して設けてあるので、外壁材３の下端面は下折り返し片６に当接して横片２の上面に密着することがなくなり、外壁材３で水抜き孔５を塞いでしまうことを防いで、効率良く排水することができるものである。この結果、雨水や結露水などの排水性を高く確保することができるものである。
【発明を実施するための最良の形態】
【００１６】
以下、本発明を実施するための最良の形態を説明する。
【００１７】
図１は受け具Ａの一例を示すものであり、縦片１の下端に横片２を水平に屈曲延設して断面形状がＬ字形の長尺物に形成してある。この受け具Ａは例えば鋼板などの金属板を折曲加工して作製されるものである。
【００１８】
縦片１の上端には屋外側へ折り返し屈曲して、縦片１の表面に沿わせるように形成した上折り返し片４が設けてある。この上折り返し片４の背面と縦片１の表面の間には僅かな隙間が形成されるようにしてあるが、上折り返し片４を縦片１に密着させるようにしてもよい。
【００１９】
また横片２の先端には上面側へ折り返し屈曲して、横片２の表面に沿わせるように形成した下折り返し片６が設けてある。この横片２には上下に開口する円形孔の水抜き孔５が穿設してあり、この水抜き孔５は横片２の長手方向に沿って所定間隔で複数個所に設けてある。下折り返し片６は、下折り返し片６の下面と横片２の上面との間に隙間を設けるように形成されるものであり、また折り返しの先端が水抜き孔５の開口の上に位置するように、下折り返し片６の折り返し寸法を設定してある。下折り返し片６の折り返し先端は水抜き孔５の開口幅の範囲内に位置していればよいが、図１の実施の形態のように、水抜き孔５の開口幅の半分の位置に折り返し先端が位置するように下折り返し片６を形成するのが好ましい。
【００２０】
次に、上記のように形成される受け具Ａを用いた外壁の施工を図２に基づいて説明する。コンクリートで形成される基礎１２の上端には木材の土台１３が取り付けてあり、土台１３に柱１４が立設してある。また土台１３の屋外面には土台水切り１５が取り付けてあり、柱１４の屋外面間に防水シート１６を張って取り付けてある。さらにこの防水シート１６の外側において土台１３の屋外面に胴縁１０が取り付けてある。
【００２１】
そして受け具Ａは壁下地材を形成するこの胴縁１０に取り付けてある。受け具Ａは胴縁１０に沿って水平に配置してあり、縦片１から釘やビスなどの固着具を胴縁１０に打入することによって固定するようにしてある。このように受け具Ａを取り付けたのち、縦長の外壁材３を胴縁１０などの壁下地に釘等の固着具１７を打入することによって取り付ける。このように外壁材３を縦張りするにあたって、外壁材３の下端部は、その背面を受け具Ａの縦片１の屋外側に宛がうと共に、その下端面を横片２の上に載置することによって、受け具Ａで受けるようになっている。
【００２２】
このように外壁材３の下端部を受け具Ａで受けるにあたって、縦片１の上端に設けた上折り返し片４は、縦片１の表面側（屋外側）に折り返して形成してあるので、図３に示すように、外壁材３の背面は上折り返し片４に当接して縦片１の表面に密着することがなく、上折り返し片４の折り返し厚みの寸法で外壁材３と縦片１の間に隙間が形成される。従って、外壁材３の背面側に浸入した雨水や、外壁材３の背面に生じた結露水などが、外壁材３の背面に沿って流下すると、容易に外壁材３と縦片１の間に流れ込むことになる。また横片２の先端に設けた下折り返し片６は、横片２の先端に上面側へ折り返して形成してあるので、外壁材３の下端面は下折り返し片６に当接して横片２の上面に密着することがなく、図３に示すように、外壁材３の下端面と横片２の上面の間に下折り返し片６の折り返し厚みの寸法で隙間が形成され、水抜き孔５が外壁材３の下端面で塞がれることがなくなる。従って、外壁材３と縦片１の間に流れ込んだ雨水や結露水は外壁材３と横片２の間を流れて水抜き孔５から排出されるものである。
【００２３】
このようにして、受け具Ａを補強するために設けられる上折り返し片４や下折り返し片６を利用して、雨水や結露水を効率良く排水することができるものである。
【００２４】
ここで、外壁材３の下端部を上記のように受け具Ａで受けて支持するにあたって、外壁材３の荷重が受け具Ａに作用すると、外壁材３の下端面は横片２の下折り返し片６の上に当接しているので、下折り返し片６は外壁材３の荷重で押し潰されるおそれがあり、下折り返し片６の折り返し厚みが小さくなって、外壁材３の下端面と横片２の上面の間の隙間が小さくなる。このとき、下折り返し片６の折り返し寸法が短いと、図４（ａ）に示すように、横片２の上面との隙間が小さくなる外壁材３の下端面で水抜き孔５が殆ど塞がれるおそれがあり、水抜き孔５から排水することができなくなる。
【００２５】
このために本発明は、下折り返し片６を、その折り返し先端が水抜き孔５の開口の一部の上に位置するように形成してある。このように下折り返し片６の折り返し先端が水抜き孔５の上に位置していると、下折り返し片６が押し潰されて外壁材３の下端面と横片２の上面との間の隙間が小さくなっても、図４（ｂ）に示すように、水抜き孔５の上の箇所において、少なくとも下折り返し片６の肉厚寸法分の空間Ｓが外壁材３の下端面と横片２の上面との間に形成され、水抜き孔５が外壁材３の下端面で完全に塞がれることを防ぐことができるものである。従って、水抜き孔５から排水することができなくなるような事態を回避することができるものである。
【図面の簡単な説明】
【００２６】
【図１】本発明に係る受け具の一例を示すものであり、（ａ）は一部の斜視図、（ｂ）は一部の正面図、（ｃ）は側面図、（ｄ）は一部の底面図である。
【図２】同上の受け具を用いた外壁構造を示すものであり、（ａ）は一部の側面断面図、（ｂ）は一部の斜視図である。
【図３】同上の一部を示す拡大した断面図である。
【図４】同上の一部を示すものであり、（ａ）（ｂ）はそれぞれ拡大した断面図である。
【図５】従来例を示す一部の拡大した断面図である。
【符号の説明】
【００２７】
１  縦片
２  横片
３  外壁材
４  上折り返し片
５  水抜き孔
６  下折り返し片
【図１】
2009270362.tif 000003
【図２】
2009270362.tif 000004
【図３】
2009270362.tif 000005
【図４】
2009270362.tif 000006
【図５】
2009270362.tif 000007